(57)【要約】本考案は、履物底の前端部と後端部から一定の距離を置いてアーク型ストレッチング胴体を形成して前曲げ姿勢または後曲げ姿勢で運動する時、ストレッチング胴体が履物底の前端部または後端部が地面と支えられて安定した状態を維持しながらストレッチング運動をすることができるようにする健康履物を提供する。
2009528879.tif 000002
【特許請求の範囲】
【請求項１】
履物底の前端部と後端部から一定の距離を置いて形成され、底部周りが履物の長手方向にアーク型をなすストレッチング胴体を一体で形成してアーク型ストレッチング胴体を通じて前曲げ姿勢及び後曲げ姿勢を取る時、前記履物底の前端部及び後端部が地面と支えられるように構成したことを特徴とする健康履物。
【請求項２】
履物底の前端部と後端部から一定の距離を置いて形成され、底部周りが履物の長手方向にアーク型をなすストレッチング胴体を履物底から分離及び回転可能に設置してアーク型ストレッチング胴体を通じて前曲げ姿勢及び後曲げ姿勢を取る時、前記履物底の前端部及び後端部が地面と支えられるように構成したことを特徴とする健康履物。
【請求項３】
前記履物底に分離可能に設置されるアーク型ストレッチング胴体が履物底で１８０゜回転される時、アーク型ストレッチング胴体が履物底と偏心に連結されて前記アーク型ストレッチング胴体が履物底から前方及び後方へ偏心長さだけ位置移動可能にしたことを特徴とする請求項２に記載の健康履物。
【請求項４】
前記アーク型ストレッチング胴体の底部曲面周りが対称及び非対称のうち、どれか一つでなされたことを特徴とする請求項１または２に記載の健康履物。
【請求項５】
前記アーク型ストレッチング胴体の底部周りが放射状でアーク型をなすことを特徴とする請求項１または２に記載の健康履物。
【請求項６】
前記アーク型ストレッチング胴体には偏心孔が形成され、この偏心孔の周囲に円形案内段が形成され、この円形案内段と対応して履物底には円形案内溝が形成され、この円形案内溝の中央に締結孔が形成されて、ボルトとナットの締結手段によりアーク型ストレッチング胴体を履物底から分離可能に組立設置したことを特徴とする請求項２に記載の健康履物。
【請求項７】
前記アーク型ストレッチング胴体にはバンド部材が設置されて、このバンド部材を通じて履物に着脱可能に取り付けられたことを特徴とする請求項２に記載の健康履物。
【請求項８】
前記アーク型ストレッチング胴体にはボールジョイントが設置され、これと対応して履物底に設置されたボールソケットにより前記アーク型ストレッチング胴体が履物底から着脱可能に設置されたことを特徴とする請求項２に記載の健康履物。
【請求項９】
前記履物底には両側にボルトが設置され、ナットがインサートされ、位置決めホールと締結孔が形成された連結板を前記履物底に当てて、前記ボルトにナットを締結して連結板を固定し、アーク型ストレッチング胴体に形成された偏心孔と両側に位置決めピンが形成されて、前記偏心孔を通じてボルトを締結して、前記アーク型ストレッチング胴体を履物底から分離可能に組立設置したことを特徴とする請求項２に記載の健康履物。
【請求項１０】
前記アーク型ストレッチング胴体には偏心孔が形成され、この偏心孔の周囲に円形案内溝が形成され、この円形案内溝と対応して履物底には円形案内段が形成され、この円形案内段の中央に締結孔と共にボルトが設置され、前記ボルトの下部にスプリングとワッシャーを介して、ナットを締結して前記アーク型ストレッチング胴体を履物底から分離可能に組立設置したことを特徴とする請求項２に記載の健康履物。
【請求項１１】
前記アーク型ストレッチング胴体は位置決めピンにより履物底の位置決め溝で位置固定されることを特徴とする請求項６、７、８、及び１０のうち、いずれか１項に記載の健康履物。
【請求項１２】
前記履物底の前方に足指の曲げと広げ運動をすることができる足指運動案内ホールの空間を形成したことを特徴とする請求項１または２に記載の健康履物。
【発明の詳細な説明】
【技術分野】
【０００１】
本考案は、健康履物に関し、特に履物底の前端部と後端部から一定の距離を置いてアーク型（arc type）ストレッチング胴体を形成して前曲げ（forward flexion）姿勢または後曲げ（backward
flexion）姿勢で運動する時、ストレッチング胴体が履物底の前端部または後端部が地面と支えられて、安定した状態を維持しながらストレッチング運動をすることができるようにする健康履物に関する。
【背景技術】
【０００２】
一般に、アキレスけんは腓腹筋や鰈筋（下腿）からなる下腿筋肉から連続した部位であって、筋肉を弛緩させたり収縮させることによって、足首関節の揺らぎが起こるようにして、意図の通り歩行できるようにするものである。
【０００３】
このようなアキレスけんは過度な動作に従う下腿筋肉のかたまりや突然の衝撃などにより容易に損傷を受けることができ、特にマラソンのようなひどい運動をした後には下腿筋肉と共にアキレスけんのかたまりを解消することが好ましい。
【０００４】
このようなアキレスけんと下腿筋肉の緊張を解してくれる履物が大韓民国登録実用新案第２０−０４０９７９８号に開示されている。
【０００５】
上記先行技術は、履物底の全体がアーク型で構成されているので、前曲げ姿勢または後曲げ姿勢で運動する時、前方または後方に容易に倒れる確率が非常に高い。したがって、アキレスけんと下腿筋肉の緊張を解してくれるための運動をする時、安定感がないので、不安で、かつその場に立っている姿勢で長く堪えることができないので、運動効果を低下させる。
【発明の開示】
【発明が解決しようとする課題】
【０００６】
本考案は、上記のような従来技術の問題点を解決するために案出したものであって、本考案の主な目的は、足首の前曲げ姿勢または後曲げ姿勢でアキレスけんと下腿筋肉の緊張を解してくれるための運動をする時、アーク型ストレッチング胴体が履物底の前端部または後端部が地面と支えられる構造を持つようにすることで、より安定した状態を維持するようにして、安定した運動姿勢と共に、ストレッチング運動効果を高めることができるようにする健康履物の提供することにある。
【課題を解決するための手段】
【０００７】
上記の目的を達成するために、本考案は、履物底の前端部と後端部から一定の距離を置いて形成され、底部の周りが履物の長手方向にアーク型をなすストレッチング胴体を一体で形成して、ストレッチング胴体を通じて前曲げ姿勢及び後曲げ姿勢を取る時、上記履物底の前端部及び後端部が地面と支えられるように構成したことを特徴とする。
【０００８】
また、本考案は、上記アーク型ストレッチング胴体は、履物底から分離可能に設置したことを特徴とする。
【０００９】
また、本考案は、上記履物底に分離可能に設置されるアーク型ストレッチング胴体が履物底で１８０゜回転される時、アーク型ストレッチング胴体が履物底と偏心に連結されて上記アーク型ストレッチング胴体が履物底から前方及び後方へ偏心長さだけ位置移動可能にしたことを特徴とする。
【発明の効果】
【００１０】
本考案は、足首の前曲げ姿勢または後曲げ姿勢でアキレスけんと下腿筋肉の緊張を解してくれるための運動をする時、アーク型ストレッチング胴体が履物底の前端部または後端部が地面と支えられる構造を持つようにすることで、より安定した状態を維持するようにして、安定した運動姿勢と共に、ストレッチング運動効果を高めることができるようにする健康履物として使用することができる。
【発明を実施するための最良の形態】
【００１１】
以下、本考案の好ましい実施形態を添付された図面に基づいて詳細に説明すれば次の通りである。
【００１２】
本考案の種々の実施形態及び変形例の符号の説明において、同一または同等な部分は同一な符号を使用して説明する。
【００１３】
図１及び図２は、本考案の実施形態１の健康履物を例示した側面図及び正面図であって、本考案の健康履物１０ａは、履物２０の底３０にアーク型ストレッチング胴体５０ａを形成して構成される。
【００１４】
アーク型ストレッチング胴体５０ａは、履物底３０の前端部３１と後端部３２から一定の距離（Ｌ１，Ｌ２）を置いて形成され、上記アーク型ストレッチング胴体５０ａはその底部周り５１が履物２０の長手方向にアーク型をなして形成される。
【００１５】
アーク型ストレッチング胴体５０ａは、履物底３０と一体で成形して一体化することができ、また接着手段により履物底３０と一体で形成することができる。
【００１６】
上記において、履物２０は一般的な運動靴またはサンダル形態で提供されることができ、人間が使用する普遍的な履物が提供されることができ、上記アーク型ストレッチング胴体５０ａの材料は、履物底３０と同一な材料のゴムまたは合成ゴムなど、若干のクッションを持つ合成樹脂が使われることができる。
【００１７】
一方、アーク型ストレッチング胴体５０ａは、図２に示すように、中間部が長手方向に凹んだ形態の空間部５２を形成して重さを減らすことができる。
【００１８】
上記のように構成された健康履物１０ａは、図３ａに示すように、健康履物１０ａを後方に反らして後曲げ姿勢にてストレッチング運動をすることができる。これは、アーク型ストレッチング胴体５０ａが曲面周り５１により自然に後に裏返ることになり、底３０の後端部３２が地面Ｅに当てて止めることにより、支えられるようになって、安定した状態を維持することができる。
【００１９】
同様に、図３ｂに示すように、健康履物１０ａの前曲げ姿勢を取る時、アーク型ストレッチング胴体５０ａが曲面周り５１により自然に前へ裏返ることになり、底３０の前端部３１が地面Ｅに当てて止めことにより支えられるようになって、安定した状態を維持することができる。
【００２０】
上記のように、アーク型ストレッチング胴体５０ａを通じて前曲げ姿勢と後曲げ姿勢でストレッチング運動をする時、履物底３０の前端部３１及び後端部３２が地面Ｅと支えられるように構成することにより、前方または後方に倒れることなく、安定した姿勢を取りながらストレッチング運動をすることができる。この際、ストレッチング運動は歩きながら、または足踏運動により可能である。また、図１のように、履物底３０の前端部３１と後端部３２が地面に支えられない状態で歩行中に運動をすると、中心付け運動をすることができる。
【００２１】
図４ａ、図４ｂは、健康履物１０ｂの実施形態２を例示したものであって、これはアーク型ストレッチング胴体５０ａを履物底３０から分離可能に設置するものである。
【００２２】
アーク型ストレッチング胴体５０ｂに偏心孔５３が形成され、この偏心孔５３の周囲に円形案内段５４が形成され、この円形案内段５４と対応して履物底３０には円形案内溝３３が形成され、この円形案内溝３３の中央に締結孔３４が形成されて、ボルト６０とナット６１の締結手段によりアーク型ストレッチング胴体５０ｂを履物底３０に分離可能に組立設置したものである。
【００２３】
アーク型ストレッチング胴体５０ｂは、図５ａ、図５ｂに示すように、アーク型ストレッチング胴体５０ｂの中心Ｓから長手方向のどれ一側に位置移動させて偏心孔５３を形成したものであって、アーク型ストレッチング胴体５０ｂを１８０゜回転させることによって、偏心された長さＬ３だけアーク型ストレッチング胴体５０ｂが履物底３０で前方または後方へ位置移動可能に構成したものである。
【００２４】
上記のように構成された健康履物１０ｂによると、図４ａのように、アーク型ストレッチング胴体５０ｂが履物底３０で後方へ若干片寄っている状態で、アーク型ストレッチング胴体５０ｂを１８０゜回転させれば、図４ｂのように、アーク型ストレッチング胴体５０ｂは偏心孔５３の偏心された長さＬ３だけ履物底３０の前方へ位置移動される。
【００２５】
このような結果により、図６ａのように、アーク型ストレッチング胴体５０ｂが履物底３０で後方へ若干片寄っている場合には、後曲げ姿勢の折れ角度が大きくなって、ストレッチング運動の強度を高めることができ、図６ｂのように、アーク型ストレッチング胴体５０ｂが履物底３０で前方へ位置移動した場合には、後曲げ姿勢の折れ角度が小さくなって、ストレッチング運動の強度を緩和させることができるので、使用者の運動選択の幅を広めることができる。
【００２６】
図７は、健康履物１０ｃの実施形態２の変形例を図示したものであって、これはアーク型ストレッチング胴体５０ｂを履物２０に着脱可能に着用できるように、アーク型ストレッチング胴体５０ｃにベルクロファスナーのようなバンド部材５５を設置して構成したものである。
【００２７】
これによって、平常時には一般的な履物２０として使用し、ストレッチング運動時にアーク型ストレッチング胴体５０ｃをバンド部材５５の履物２０に着用して使用することができる。
【００２８】
また、アーク型ストレッチング胴体５０ｃの上部には偏心ピン５６と位置決めピン５７が設置され、これと対応する履物底３０には偏心溝３５と位置決め溝３６３７が形成される。
【００２９】
これによって、アーク型ストレッチング胴体５０ｃを１８０゜回転させることによって、偏心された長さだけアーク型ストレッチング胴体５０ｃが偏心ピン５６を中心に回転して履物底３０で前方または後方へ位置移動可能になり、上記位置決めピン５７が位置決め溝３６または３７に位置されることによって、位置決めされたアーク型ストレッチング胴体５０ｃが回転されず、拘束される。
【００３０】
上記のような健康履物１０ｃの作用効果は、前述した図６ａ、図６ｂの効果と同一であるので、その説明を省略する。
【００３１】
図８ａ及び図８ｂは、健康履物１０ｄの実施形態２の変形例を図示したものであって、これはアーク型ストレッチング胴体５０ｄの上部に中央から偏心された位置にボールジョイント５８を設置し、一側に位置決めピン５７を設置し、ボールジョイント５８と対応して履物底３０にボールソケット３８と位置決めピン５７と対応する位置決め溝３６３７が形成されて構成される。
【００３２】
ボールジョイント５８は、ボールソケット３８で着脱可能に設置されることによって、アーク型ストレッチング胴体５０ｄを履物底３０から分離可能であるので、平常時には一般的な履物２０として使用し、ストレッチング運動時にアーク型ストレッチング胴体５０ｄを履物底３０に着用して使用することができる。
【００３３】
これによって、アーク型ストレッチング胴体５０ｄを１８０゜回転させるによって、偏心された長さだけアーク型ストレッチング胴体５０ｄがボールジョイント５８を中心に回転して履物底３０で前方または後方へ位置移動可能になり、位置決めピン５７によって位置決めされたアーク型ストレッチング胴体５０ｄが回転されず、拘束される。
【００３４】
上記のような健康履物１０ｄの作用効果は、前述した図６ａ、図６ｂの効果と同一であるので、その説明を省略する。
【００３５】
図９ａ、図９ｂ、図９ｃは、本考案のアーク型ストレッチング胴体５０ｅの変形例であって、これはアーク型ストレッチング胴体５０ｅの底部周り５１が放射状でアーク型をなして構成される。
【００３６】
これによって、ストレッチング運動時、図３ａ、図３ｂのように、後曲げ姿勢及び前曲げ姿勢と共に、足首の左右関節運動を実現することができる。
【００３７】
アーク型ストレッチング胴体５０ｅは、実施形態１の図１のように、履物底３０に一体型で形成することができ、また、実施形態２のように、履物２０から分離可能にして履物底３０に設置して使用することができる。
【００３８】
図１０は、健康履物１０ｅの実施形態２の更に他の変形例であって、これは図１乃至図９ｃに示すように、アーク型ストレッチング胴体５０ａ〜５０ｅの底部周り５１が対称で、アーク型をなしている一方、上記変形例は、アーク型ストレッチング胴体１０ｆの底部周り５１が非対称にして履物２０の長手方向にアーク型をなすようにして、履物底３０に一体で形成したものである。
【００３９】
上記のように構成されたアーク型ストレッチング胴体１０ｆは、前方が緩やかな曲面で形成し、後方が前方より急激な曲面をなすように形成したものであって、これは前曲げ姿勢と後曲げ姿勢時に足首の折れ角度を異にすることができるようにして、運動量を異にすることができるようにしたものである。
【００４０】
図１１の健康履物１０ｆは、実施形態２の変形例であって、これはアーク型ストレッチング胴体５０ｇが図１０のように底部周り５１が非対称にして履物２０の長手方向にアーク型をなすように形成し、かつ、履物底３０から分離及び回転可能に組立てたものである。
【００４１】
アーク型ストレッチング胴体５０ｇに偏心孔５３が形成され、この偏心孔５３の周囲に円形案内段５４が形成され、この円形案内段５４と対応して履物底３０には円形案内溝３３が形成され、この円形案内溝３３の中央に締結孔３４と共にナット６２がインサートされてボルト６３の締結手段によりアーク型ストレッチング胴体５０ｇを履物底３０に分離可能に組立設置したものである。
【００４２】
図１２の健康履物１０ｇは、実施形態２の変形例であって、これは履物底３０の両側にボルト６４を設置し、ナット８１がインサートされ、位置決めホール８２、８３と締結孔８４、８４が形成された連結板８０を履物底３０に当ててボルト６４にナット６５を締結して連結板８０を固定し、アーク型ストレッチング胴体５０ｈに形成された偏心孔５３と両側に位置決めピン５７が形成されて、上記偏心孔５３を通じてボルト６６を締結して構成したものである。
【００４３】
上記において、アーク型ストレッチング胴体１０ｈは、図１０及び図１１のように、底部周り５１が非対称にして履物２０の長手方向にアーク型をなすように形成したものを例示したものである。
【００４４】
図１３ａ及び図１３ｂは、健康履物１０ｈの実施形態２の他の変形例であって、これはアーク型ストレッチング胴体５０ｉに偏心孔５３が形成され、該偏心孔５３の周囲に円形案内溝５９が形成され、該円形案内溝５９と対応して履物底３０には円形案内段３９が形成され、該円形案内段３９の中央に締結孔３４と共にボルト６７が設置され、ボルト６７の下部にスプリング６８とワッシャー６９を介し、ナット７０を締結して構成したものである。
【００４５】
上記のように構成された健康履物１０ｈは、図１３ａのような状態で、アーク型ストレッチング胴体５０ｉを１８０゜回転させるには、図１３ｂのように、アーク型ストレッチング胴体５０ｉを手で把持して矢印方向に下へ引くとスプリング６８が圧縮されながら円形案内溝５９が円形案内段３７から離隔するにつれて、自由な状態となり、以後、アーク型ストレッチング胴体５０ｉを１８０゜回転させた後、手を放すと圧縮されていたスプリング６８の反撥力により戻りながら円形案内溝５９が円形案内段３７に戻って、図１３ａのような状態になって、アーク型ストレッチング胴体５０ｉを１８０゜回転に従う位置移動を簡単で、かつ速かに実現することができる。
【００４６】
上記において、１８０゜回転されたアーク型ストレッチング胴体５０ｉの正確な位置移動及び固定のために、先に他の実施形態で例示したように、アーク型ストレッチング胴体５０ｉに位置決めピンを形成できることは勿論である。
【００４７】
図１４は、健康履物１０ｉの実施形態３に従うものであって、これは履物２０の底３０の前方に足指９０の曲げと広げ運動をすることができる足指運動案内ホール４０を穿孔して構成したものである。
【００４８】
上記足指運動案内ホール４０は、５個の足指が受容されて運動できる空間であって、アーク型ストレッチング胴体５０ａを通じたストレッチング運動と同時に、上記足指運動案内ホール４０を通じて足指９０運動を兼ねることができるようにしたものである。
【００４９】
上記で設置されるアーク型ストレッチング胴体５０ａは、図１のように、一体型にすることができ、実施形態２のように、分離可能な組立形態で設置することができる。
【００５０】
上記の図１０、図１１、図１２、図１３ａ、及び図１４に図示された健康履物１０ｅ、１０ｆ、１０ｇ、１０ｈ、１０ｉの作用効果は、前述した図３ａ、図３ｂ、図６ａ、及び図６ｂの効果と同一であるので、その説明を省略する。
【図面の簡単な説明】
【００５１】
【図１】本考案の健康履物の実施形態１の側面図である。
【図２】図１の正面図である。
【図３ａ】図１に図示された健康履物の作用状態図である。
【図３ｂ】図１に図示された健康履物の作用状態図である。
【図４ａ】本考案の健康履物の実施形態２の一部切欠側面図である。
【図４ｂ】本考案の健康履物の実施形態２の一部切欠側面図である。
【図５ａ】図４ａに図示されたアーク型ストレッチング胴体の斜視図及び平面図である。
【図５ｂ】図４ａに図示されたアーク型ストレッチング胴体の斜視図及び平面図である。
【図６ａ】図４ａ、図４ｂの作用状態図である。
【図６ｂ】図４ａ、図４ｂの作用状態図である。
【図７】本考案の実施形態２の変形例を示す健康履物の一部切欠側面図である。
【図８ａ】本考案の実施形態２の他の変形例を示す健康履物の斜視図及び一部切欠側面図である。
【図８ｂ】本考案の実施形態２の他の変形例を示す健康履物の斜視図及び一部切欠側面図である。
【図９ａ】本考案のアーク型ストレッチング胴体の変形例である。
【図９ｂ】図９ａのＡ−Ａ線断面図である。
【図９ｃ】図９ａのＢ−Ｂ線断面図である。
【図１０】本考案の実施形態２の更に他の変形例の側面図である。
【図１１】本考案の実施形態２の更に他の変形例を示す健康履物の一部切欠側面図である。
【図１２】本考案の実施形態２の更に他の変形例を示す健康履物の分離側面図である。
【図１３ａ】本考案の実施形態２の更に他の変形例を示す健康履物の一部切欠側面図である。
【図１３ｂ】本考案の実施形態２の更に他の変形例を示す健康履物の一部切欠側面図である。
【図１４】本考案の実施形態３を示す健康履物の一部切欠側面図である。
【図１】
2009528879.tif 000003
【図２】
2009528879.tif 000004
【図３Ａ】
2009528879.tif 000005
【図３Ｂ】
2009528879.tif 000006
【図４Ａ】
2009528879.tif 000007
【図４Ｂ】
2009528879.tif 000008
【図５Ａ】
2009528879.tif 000009
【図５Ｂ】
2009528879.tif 000010
【図６Ａ】
2009528879.tif 000011
【図６Ｂ】
2009528879.tif 000012
【図７】
2009528879.tif 000013
【図８Ａ】
2009528879.tif 000014
【図８Ｂ】
2009528879.tif 000015
【図９Ａ】
2009528879.tif 000016
【図９Ｂ】
2009528879.tif 000017
【図９Ｃ】
2009528879.tif 000018
【図１０】
2009528879.tif 000019
【図１１】
2009528879.tif 000020
【図１２】
2009528879.tif 000021
【図１３Ａ】
2009528879.tif 000022
【図１３Ｂ】
2009528879.tif 000023
【図１４】
2009528879.tif 000024
【国際調査報告】
2009528879.tif 000025
2009528879.tif 000026